(57)【要約】設備の配置を示すマップ上に、点検箇所を示し点検順が登録されたポインタを表示させ、表示されたポインタについての選択操作を受け付け、前記選択操作により、複数のポインタが選択された場合に、該複数のポインタのそれぞれに対応づけられた点検結果を個別に参照可能なリンク情報を含むメッセージを指定された宛先に送信する、処理を実行させる。
2015087452.tif 000002
【特許請求の範囲】
【請求項１】
コンピュータに、
設備の配置を示すマップ上に、点検箇所を示し点検順が登録されたポインタを表示させ、
表示されたポインタについての選択操作を受け付け、
前記選択操作により、複数のポインタが選択された場合に、該複数のポインタのそれぞれに対応づけられた点検結果を個別に参照可能なリンク情報を含むメッセージを指定された宛先に送信する、
処理を実行させることを特徴とする設備点検作業支援プログラム。
【請求項２】
前記メッセージに含まれる前記リンク情報は、前記複数のポインタのそれぞれに登録された点検順に従った順番に並べられていることを特徴とする請求項１記載の設備点検作業支援プログラム。
【請求項３】
前記複数のポインタに、点検順が登録されたポインタと、点検順が登録されていないポインタとが含まれている場合に、前記点検順が登録されたポインタについては点検順に従った順番に並べられているとともに、前記点検順が登録されていないポインタについては、該ポインタの最も近傍にある前記点検順が登録されたポインタの直前又は直後の順番に並べられていることを特徴とする請求項２記載の設備点検作業支援プログラム。
【請求項４】
コンピュータに、
設備の配置を示すマップ上の点検箇所を示し点検順が登録されたポインタであって、１の点検経路に含まれる複数のポインタについて、それぞれに対応づけられた点検結果を個別に参照可能なリンク情報を含むメッセージを表示した画面から、いずれか１のリンク情報の選択操作を受け付け、
選択操作を受け付けた前記１のリンク情報により特定される前記ポインタについての点検結果を画面に表示し、
前記ポインタについての点検結果を表示した前記画面に対する切り替え操作に応じて、前記メッセージに含まれるリンク情報により特定されるポインタにそれぞれに登録された点検順に従った、他のリンク情報により特定されるポインタについての点検結果を表示する画面への切り替え制御を行う、
処理を実行させることを特徴とする設備点検作業支援プログラム。
【請求項５】
コンピュータに、
設備の配置を示すマップ上の複数の点検箇所と対応づけられ、前記複数の点検箇所の間で点検順が登録された点検経路の選択操作を受け付け、
前記点検経路に含まれる前記複数の点検箇所に対する点検結果の入力を開始する指示を受け付け可能な画面を参照させるリンク情報を含むメッセージを指定された宛先に送信する、
処理を実行させることを特徴とする設備点検作業支援プログラム。
【請求項６】
コンピュータによる設備点検作業の連携を支援する設備点検作業支援方法であって、該コンピュータが、
設備の配置を示すマップ上に、点検箇所を示し点検順が登録されたポインタを表示させ、
表示されたポインタについての選択操作を受け付け、
前記選択操作により、複数のポインタが選択された場合に、該複数のポインタのそれぞれに対応づけられた点検結果を個別に参照可能なリンク情報を含むメッセージを指定された宛先に送信する、
ことを特徴とする設備点検作業支援方法。
【請求項７】
設備の配置を示すマップ上に、点検箇所を示し点検順が登録されたポインタを表示させ、
表示されたポインタについての選択操作を受け付ける入力受付部と、
前記選択操作により、複数のポインタが選択された場合に、該複数のポインタのそれぞれに対応づけられた点検結果を個別に参照可能なリンク情報を含むメッセージを指定された宛先に送信するメッセージ送信部と、を有する
ことを特徴とする設備点検作業支援装置。
【発明の詳細な説明】
【技術分野】
【０００１】
本発明は、設備の点検作業を支援する設備点検作業支援プログラム、設備点検作業支援方法及び設備点検作業支援装置に関する。
【背景技術】
【０００２】
従来から、例えば工場内等で行われる設備点検作業を支援するシステムが知られている。支援の方法としては、例えば点検を行うルートに基づいて、点検を実施する箇所の点検結果を記録すること等が知られている。
【先行技術文献】
【特許文献】
【０００３】
【特許文献１】特開２０１１−１８６６２１号公報
【発明の概要】
【発明が解決しようとする課題】
【０００４】
設備点検作業は、例えば複数の作業者が交代で行う場合が想定される。複数の作業者が交代で設備点検作業を行う場合、ある作業者が行った設備点検作業の結果は、他の作業者に共有される必要がある。また点検結果は、常に最新の状態で共有される必要がある。【０００５】
しかながら従来の手法では、記録された点検結果を複数人で共有することについては考慮されておらず、複数人で行う点検作業の連携を支援することが困難である。【０００６】
一つの側面では、点検作業の連携を支援することが可能な設備点検作業支援プログラム、設備点検作業支援方法及び設備点検作業支援装置を提供することを目的としている。
【課題を解決するための手段】
【０００７】
一様態によれば、コンピュータに、設備の配置を示すマップ上に、点検箇所を示し点検順が登録されたポインタを表示させ、表示されたポインタについての選択操作を受け付け、前記選択操作により、複数のポインタが選択された場合に、該複数のポインタのそれぞれに対応づけられた点検結果を個別に参照可能なリンク情報を含むメッセージを指定された宛先に送信する、
処理を実行させる。【０００８】
上記各処理は、上記各処理を実行する機能部、上記各処理を実現する方法、そのプログラムを記憶したコンピュータ読み取り可能な記憶媒体とすることもできる。
【発明の効果】
【０００９】
点検作業の連携を支援することができる。
【図面の簡単な説明】
【００１０】
【図１】設備点検作業支援システムのシステム構成の一例を示す図である。
【図２】ピン定義データベースの一例を示す図である。
【図３】ピン記録データベースの一例を示す図である。
【図４】経路定義データベースの一例を示す図である。
【図５】経路記録データベースの一例を示す図である。
【図６】マップ定義データベースの一例を示す図である。
【図７】マップの階層について説明する図である。
【図８】通知データベースの一例を示す図である。
【図９】端末装置のハードウェア構成の一例を示す図である。
【図１０】設備点検作業支援システムの有する各装置の機能を説明する図である。
【図１１】端末装置の動作を説明するフローチャートである。
【図１２】点検結果を共有する処理を説明するシーケンス図である。
【図１３】送信側の端末装置に表示されるピンの選択画面の一例を示す図である。
【図１４】送信側の端末装置のメッセージが表示された画面の一例を示す図である。
【図１５】サーバによるリンク情報の並べ替えの処理を説明するフローチャートである。
【図１６】端末装置における点検結果の表示の処理を説明するフローチャートである。
【図１７】メッセージを受信したことが表示された画面の一例を示す図である。
【図１８】リンク情報の種類が点検経路であった場合の点検結果の表示の一例を示す図である。
【図１９】リンク情報の種類がピンであった場合の点検結果の表示の一例を示す図である。
【発明を実施するための形態】
【００１１】
以下に図面を参照して実施形態について説明する。図１は、設備点検作業支援システムのシステム構成の一例を示す図である。
【００１２】
設備点検作業支援システム１００は、複数の端末装置２００とサーバ３００とがネットワークを介して接続されている。
【００１３】
本実施形態の設備点検作業支援システム１００は、例えば工場や発電所等のプラント内において、点検作業者により行われる各種設備の点検作業を支援する。
【００１４】
本実施形態のサーバ３００は、ピン定義データベース３１０、ピン記録データベース３２０、経路定義データベース３３０、経路記録データベース３４０、マップ定義データベース３５０、通知データベース３６０を有する。
【００１５】
本実施形態の端末装置２００は、点検作業者により設備点検作業支援プログラムが起動されると、点検作業の支援を行う。具体的には端末装置２００は、ピン定義データベース３１０と、経路定義データベース３３０と、マップ定義データベース３５０とを参照し、点検経路に基づき、点検箇所を示すポインタ（以下、ピン）を表示させる。また本実施形態の端末装置２００は、ピン定義データベース３１０を参照し、点検順に沿って、ピンに対応した項目の入力欄を含む入力画面を表示させ、点検結果の値を入力させる。本実施形態の端末装置２００は、点検経路に含まれる全てのピンについて点検結果の値が入力されると、点検結果をサーバ３００へ送信し、ピン記録データベース３２０と経路記録データベース３４０とに格納させる。尚、本実施形態では、ピンに対応した入力画面において入力された点検結果の値の集合を点検結果と呼ぶ。
【００１６】
以上のように本実施形態の端末装置２００は、点検順に沿ってピンに対応した入力画面を表示させて点検結果を入力させることで、点検作業者による点検作業を支援する設備点検作業支援装置の機能を果たす。
【００１７】
また本実施形態の端末装置２００は、サーバ３００に格納された点検結果を参照するための情報を他の端末装置２００へ通知することで、点検結果を他の端末装置２００と共有する。本実施形態の以下の説明では、点検結果を参照するための情報を他の端末装置２００へ送信する端末装置２００を端末装置２００Ａとし、点検結果を参照するための情報を受信する端末装置２００を端末装置２００Ｂとして説明する。尚、以下の説明において、送信側の端末装置２００Ａと受信側の端末装置２００Ｂとを区別しない場合には、単に端末装置２００と呼ぶ。
【００１８】
本実施形態における、点検結果を参照するための情報とは、例えばサーバ３００における点検結果の格納先を示す情報であっても良い。また点検結果を参照するための情報とは、例えばサーバ３００において点検結果と対応付けられた、点検結果を識別する識別情報であっても良い。
【００１９】
すなわち本実施形態の点検結果を参照するための情報は、端末装置２００Ａと端末装置２００Ｂとに共有される点検結果を特定する情報である。以下の本実施形態の説明では、この情報を点検結果のリンク情報と呼ぶ。
【００２０】
以上のように本実施形態では、端末装置２００Ａが、点検作業を行った点検結果を端末装置２００Ｂと共有することで、点検作業の連携を支援することができる。
【００２１】
以下に図２乃至図９を参照し、本実施形態のサーバ３００の有する各データベースについて説明する。
【００２２】
図２は、ピン定義データベースの一例を示す図である。
【００２３】
本実施形態のピン定義データベース３１０は、情報の項目として、ピンＩＤ、ピン名称、ピン種別、入力項目、マップＩＤ、マップ所属、マップ座標を有し、ピンＩＤにその他の項目が対応付けられている。以下の本実施形態の説明では、ピン定義データベース３１０においてピンＩＤと対応付けられた項目の情報をピン情報と呼ぶ。
【００２４】
ピンＩＤは、ピンを識別するための識別子である。ピン名称は、ピンの名前である。ピン種別は、ピンの種類を示す。本実施形態では、ピンの種類として、階層ピンと点検ピンとを有する。階層ピンは、後述するマップ（地図）における階層を示すピンである。点検ピンは、後述するマップにおける点検箇所を示すピンである。
【００２５】
以下の説明では、ピン種別が階層ピンであるピンを階層ピンと呼び、ピン種別が点検ピンであるピンを点検ピンと呼ぶ。
【００２６】
入力項目は、点検作業における点検結果が入力される入力欄と対応する項目である。本実施形態では、点検ピンと対応付けられており、ピン毎に入力項目が決められている。
【００２７】
マップＩＤは、階層ピンと対応付けられており、階層ピンにより示される階層のマップを示す。マップ所属は、点検ピン及び階層ピンと対応付けられており、点検ピン及び階層ピンが含まれるマップを示す。マップ座標は、点検ピンと対応付けられており、点検ピンが含まれるマップにおける点検ピンの位置を示す。
【００２８】
図２の例では、ピンＩＤがＰ００００のピンは、名称が「構内図」の階層ピンである。ピンＩＤ「Ｐ００００」の階層ピンは、マップＩＤ「Ｍ０００１」と対応付けられている。また図２の例では、ピンＩＤがＰ０００１のピンは、名称が「設備Ａ点検」の点検ピンである。ピンＩＤ「Ｐ０００１」の点検ピンは、入力項目として「温度」と「圧力」があり、マップＩＤ「Ｍ０００１」のマップにおける座標（１０，１０）に位置している。
【００２９】
また図２の例では、ピンＩＤがＰ０００３のピンは、名称が「設備Ｃ」の階層ピンである。ピンＩＤ「Ｐ０００３」の階層ピンは、マップＩＤ「Ｍ０００１」のマップに所属し、座標が（３０、２０）であるとともに、マップＩＤ「Ｍ０００２」と対応付けられている。即ち、階層ピン「Ｐ０００３」によって、マップ「Ｍ０００１」からマップ「Ｍ０００２」へつながる階層が定義されていることになる。
【００３０】
図３は、ピン記録データベースの一例を示す図である。
【００３１】
本実施形態のピン記録データベース３２０は、点検ピン毎の点検結果が格納される。
【００３２】
ピン記録データベース３２０は、情報の項目として、ピンＩＤ、日付、時間、入力項目、入力値、経路ＩＤ、経路記録ＩＤを有し、ピンＩＤとその他の項目とが対応付けられている。以下の本実施形態の説明では、ピン記録データベース３２０においてピンＩＤと対応付けられた項目の情報をピン記録情報と呼ぶ。
【００３３】
本実施形態のピン記録データベース３２０において、日付と時間は、入力項目に入力値が入力された日時を示す。入力項目は、点検ピンに対応する入力項目であり、入力値は、入力項目に対応して入力された入力値である。
【００３４】
また経路ＩＤは、点検ピンが含まれる点検経路を識別するための識別子である。経路記録ＩＤは、点検経路毎の点検結果を識別するための識別子である。
【００３５】
図３の例では、ピンＩＤがＰ０００２の点検ピンに対する点検結果として、２０１３／１１／２５の１１：２８：１２に入力項目「水圧」と対応する入力欄に入力値「０．３８」が入力されている。またピンＩＤがＰ０００２の点検ピンは、経路ＩＤＲ０００１で識別される点検経路に含まれており、ピンＩＤがＰ０００２の点検ピンの点検結果は、経路記録ＩＤＲｅｃ０００１で識別される経路記録に含まれる。
【００３６】
図４は、経路定義データベースの一例を示す図である。
【００３７】
本実施形態の経路定義データベース３３０は、情報の項目として、経路ＩＤと、経路名称と、ピンＩＤとを有し、経路ＩＤにその他の項目が対応付けられている。以下の本実施形態の説明では、経路定義データベース３３０において経路ＩＤと対応付けられた項目の情報を経路情報と呼ぶ。
【００３８】
本実施形態の経路定義データベース３３０では、経路ＩＤとピンＩＤとが対応付けることで、経路ＩＤで示される点検経路に、ピンＩＤで示されるピンが含まれることを示す。
【００３９】
図４の例では、経路ＩＤＲ０００１であり、名称が「経路イ」の点検経路には、ピンＩＤＰ０００１、ＩＤＰ０００２、ＩＤＰ０００４の点検ピンと、ピンＩＤＰ０００３の階層ピンとが含まれる。
【００４０】
図５は、経路記録データベースの一例を示す図である。
【００４１】
本実施形態の経路記録データベース３４０は、情報の項目として、経路ＩＤ、経路記録ＩＤ、ステータス、完了日付、完了時間を有し、経路ＩＤにその他の項目が対応付けられている。以下の本実施形態の説明では、経路記録データベース３４０において経路ＩＤと対応付けられた項目の情報を経路記録情報と呼ぶ。
【００４２】
経路記録データベース３４０におけるステータスは、経路ＩＤで示される点検経路の点検作業の状態を示す。完了日付と完了時間は、経路ＩＤで示される点検経路の点検作業が完了した日と完了した時間である。
【００４３】
図５の例では、経路ＩＤＲ０００１の点検経路の点検結果は、２０１３年１１月２５日の１１：３２：３０に完了し、経路記録ＩＤＲｅｃ０００１として記録されている。
【００４４】
図６は、マップ定義データベースの一例を示す図である。
【００４５】
本実施形態のマップ定義データベース３５０は、情報の項目として、マップＩＤ、マップ名称、ファイル名を有し、マップＩＤにその他の項目が対応付けられている。以下の本実施形態の説明では、マップ定義データベース３５０においてマップＩＤと対応付けられた項目の情報をマップ情報と呼ぶ。
【００４６】
マップ名称は、マップの名前であり、ファイル名は端末装置２００にマップを表示させる際に用いるファイルの名称である。
【００４７】
図６の例では、マップＩＤＭ０００１で識別されるマップの名称は「構内図」であり、このマップを表示させる際に使用するファイルは「構内図．ｊｐｇ」である。
【００４８】
本実施形態のマップ定義データベース３５０では、例えば点検対象となる工場等の全体の領域を示すファイル、点検作業を行う設備を示すファイル、点検作業を行う設備内の機器を示すファイル等を異なる階層のマップとして有している。
【００４９】
以下に図７を参照してマップの階層について説明する。図７は、マップの階層について説明する図である。図７（Ａ）は、第一層のマップの例を示し、図７（Ｂ）は、第二層のマップの例を示し、図７（Ｃ）は、第二層のうち点検対象箇所を拡大したマップの例を示す。
【００５０】
図７（Ａ）に示すマップ７１は、設備が配置された領域を示す。マップ７１は例えば、マップ定義データベース３５０に登録されているマップ「Ｍ０００１」の構内図である。マップ７１には、階層ピンＰ３と、点検ピンＰ１、点検ピンＰ２が表示される。本実施形態では、階層ピン及び点検ピンをマップ上に表示させる際に、ピンの種別に応じたアイコン画像で表示させることが好ましい。
【００５１】
図７（Ｂ）に示すマップ７２は、マップ７１の下の階層にあるマップであり、階層ピンＰ３で示される領域に設備の概略を示している。すなわちマップ７２は、マップ７１において階層ピンＰ３で示される領域のさらなる詳細を示している。マップ７２は例えば、マップ定義データベース３５０に登録されているマップ「Ｍ０００１」の構内図である。マップ７２には、点検ピンＰ４が表示されている。点検ピンＰ４は、マップ７２として表示される設備内において点検対象となる機器を示している。
【００５２】
図７（Ｃ）に示すマップ７３は、マップ７２のうち点検対象箇所を拡大表示した状態のマップであり、例えば点検ピンＰ４が示している点検対象の機器の見取り図である。
【００５３】
すなわち本実施形態では、階層が下に行く程、点検箇所をより詳細に示した画像が端末装置２００に表示されるようになる。本実施形態において、マップ定義データベース３５０に格納された各マップの階層の関係は、例えば各マップと対応付けられたピンと、ピンの含まれる点検経路により示される。
【００５４】
本実施形態のマップ定義データベース３５０には、例えばマップ７１、マップ７２、マップ７３のそれぞれを表示させるためのマップのファイル名（例えば画像データ等）が、マップＩＤ及びマップ名称と対応付けられて格納されている。尚本実施形態では、マップを表示させるためのファイルの実体がマップ定義データベース３５０内に格納されていても良いし、ファイルの実体が他の記憶装置に格納されていても良い。
【００５５】
また本実施形態のマップ定義データベース３５０では、各マップＩＤと、各マップの階層の関係を示す情報が対応付けられていても良い。具体的には例えば、マップＩＤＭ０００１のマップの１つ下の階層のマップは、マップＩＤＭ０００２のマップである。よってマップＩＤＭ０００２には、例えばマップＩＤＭ０００１の１階層下であることを示すＭ０００１−１等という情報が対応付けられていても良い。
【００５６】
図８は、通知データベースの一例を示す図である。本実施形態の通知データベース３６０は、情報の項目として、通知（メッセージ）ＩＤ、送信者名、受信者名、リンク情報の種類、リンクＩＤ、送信日付、送信時間及びメッセージ内容を含み、通知ＩＤにそれ以外の各項目が対応付けられている。以下の本実施形態の説明では、通知データベース３６０において通知ＩＤと対応付けられた項目の情報を通知情報と呼ぶ。
【００５７】
通知ＩＤは、端末装置２００Ａから端末装置２００Ｂに通知が送信される毎に、各通知に付与される識別情報である。送信者名は、通知ＩＤを送信した送信者の名前であり、受信者名は通知を受信する受信者の名前である。送信者は、例えば端末装置２００Ａを用いて点検作業を行う点検作業者であり、送信者は端末装置２００Ｂを用いて点検作業を行う点検作業者であっても良い。送信者名および受信者名の項目には、名前をそのまま格納するのではなく、作業者を識別可能なＩＤ番号やメールアドレスが格納されていてもよい。
【００５８】
リンク情報の種類は、通知に含まれるリンク情報が、点検ピンを特定する情報であるか、又は点検経路を特定する情報であるかを示す情報である。
【００５９】
リンクＩＤとは、リンク情報により特定される点検結果のＩＤである。具体的には例えば、リンク情報の種類が点検ピンであった場合にはリンクＩＤはピンＩＤとなり、リンク情報の種類が点検経路であった場合にはリンクＩＤは経路ＩＤとなる。
【００６０】
送信日付は送信者が受信者に通知を送信した日を示し、送信時間は送信者が受信者に通知を送信した時刻を示す。メッセージ内容は、メッセージの本文であり、例えばテキストデータ等である。
【００６１】
次に図９を参照して本実施形態の端末装置２００のハードウェア構成について説明する。図９は、端末装置のハードウェア構成の一例を示す図である。
【００６２】
本実施形態の端末装置２００は、それぞれバスＢで相互に接続されている表示操作装置２１、ドライブ装置２２、補助記憶装置２３、メモリ装置２４、演算処理装置２５、インターフェース装置２６を有する。
【００６３】
表示操作装置２１は、例えばタッチパネル等であり、表示機能と情報の入力の機能とを有する。インターフェース装置２６は、モデム，ＬＡＮカード等を含み、ネットワークに接続する為に用いられる。
【００６４】
設備点検作業支援プログラムは、端末装置２００を制御する各種プログラムの少なくとも一部である。設備点検作業支援プログラムは例えば記録媒体２７の配布やネットワークからのダウンロードなどによって提供される。設備点検作業支援プログラムを記録した記録媒体２７は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００６５】
また設備点検作業支援プログラムを記録した記録媒体２７がドライブ装置２２にセットされると、設備点検作業支援プログラムは記録媒体２７からドライブ装置２２を介して補助記憶装置２３にインストールされる。ネットワークからダウンロードされた設備点検作業支援プログラムは、インターフェース装置２６を介して補助記憶装置２３にインストールされる。
【００６６】
補助記憶装置２３は、インストールされた設備点検作業支援プログラムを格納すると共に、必要なファイル，データ等を格納する。メモリ装置２４は、コンピュータの起動時に補助記憶装置２３から設備点検作業支援プログラムを読み出して格納する。そして、演算処理装置２５はメモリ装置２４に格納された設備点検作業支援プログラムに従って、後述するような各種処理を実現している。
【００６７】
本実施形態の端末装置２００は、例えばタブレット型のコンピュータである。また本実施形態のサーバ３００は、例えば演算処理装置とメモリ装置とを有する一般的なコンピュータである。
【００６８】
以下に図１０を参照して本実施形態の設備点検作業支援システム１００の有する各装置の機能について説明する。図１０は、設備点検作業支援システムの有する各装置の機能を説明する図である。
【００６９】
本実施形態の端末装置２００には、設備点検作業支援プログラム２１０がインストールされている。本実施形態の設備点検作業支援プログラム２１０は、点検作業における点検結果の入力を支援する入力支援部２２０と、点検結果を他の端末装置２００へ通知する通知部２３０と、他の端末装置２００から受信した通知に基づき点検結果を表示させる結果表示部２４０とを有する。
【００７０】
本実施形態の端末装置２００では、設備点検作業支援プログラム２１０を実行することで、後述する各部の処理を実現する。
【００７１】
本実施形態の入力支援部２２０は、入力受付部２２１、表示制御部２２２、経路情報取得部２２３、ピン情報取得部２２４、マップ情報取得部２２５、点検結果送信部２２６を有する。
【００７２】
本実施形態の入力受付部２２１は、表示操作装置２１の操作による入力を受け付ける。表示制御部２２２は、表示操作装置２１における表示を制御する。
【００７３】
経路情報取得部２２３は、入力受付部２２１が受け付けた入力に基づき、経路定義データベース３３０から経路情報を取得する。ピン情報取得部２２４は、入力受付部２２１が受け付けた入力に基づき、ピン定義データベース３１０からピン情報を取得する。マップ情報取得部２２５は、ピン情報に含まれるマップＩＤに基づき、マップ定義データベース３５０からマップ情報を取得する。
【００７４】
点検結果送信部２２６は、選択された点検経路の点検作業が完了すると、点検結果をサーバ３００へ送信する。
【００７５】
本実施形態の通知部２３０は、メッセージ作成部２３１と、メッセージ送信部２３２とを有する。本実施形態のメッセージ作成部２３１は、端末装置２００において、通知する点検結果を示すリンク情報と、点検結果の通知先とが選択されると、選択されたリンク情報を含むメッセージを作成する。
【００７６】
メッセージ送信部２３２は、メッセージ作成部２３１が作成したメッセージをサーバ３００へ送信する。
【００７７】
本実施形態の結果表示部２４０は、メッセージ受信部２４１と、リンク種類判別部２４２と、点検結果取得部２４３と、点検結果表示部２４４とを有する。
【００７８】
本実施形態のメッセージ受信部２４１は、他の端末装置２００から送信されたメッセージをサーバ３００を介して受信する。メッセージを受信することは、すなわち他の端末装置２００から点検結果の通知を受けることである。
【００７９】
本実施形態のリンク種類判別部２４２は、メッセージに含まれるリンク情報に基づき、通知データベース３６０を参照し、リンク情報の種類を判別する。点検結果取得部２４３は、リンク情報に基づきサーバ３００からリンク情報に対応する点検結果を取得する。点検結果表示部２４４は、取得した点検結果に付与された表示順に沿って点検結果を表示させる。
【００８０】
本実施形態のサーバ３００には、点検結果提供プログラム３７０がインストールされている。本実施形態のサーバ３００では、点検結果提供プログラム３７０を実行することで、後述する各部の処理を実現する。
【００８１】
本実施形態のサーバ３００は、通信部３７１と、点検結果格納部３７２と、リンク種類判定部３７３と、表示順付与部３７４と、並べ替え部３７５と、通知格納部３７６と、を有する。
【００８２】
本実施形態の通信部３７１は、端末装置２００との通信を行う。点検結果格納部３７２は、端末装置２００から点検結果が送信されると、点検結果に応じて経路記録データベース３４０を更新し、点検結果をピン記録データベース３２０に格納する。
【００８３】
具体的には点検結果格納部３７２は、経路記録データベース３４０において、点検作業が完了した点検経路と対応する経路ＩＤのステータスを完了とし、経路ＩＤに対応付けた経路記録ＩＤを付与する。
【００８４】
また点検結果格納部３７２は、点検ピン毎の入力項目に対して入力された値と、入力された日付と時間とをピン記録データベース３２０へ格納する。また点検結果格納部３７２は、経路記録データベース３４０で経路ＩＤと対応付けて格納した経路記録ＩＤを、ピン記録データベース３２０のピンＩＤと対応させて格納する。
【００８５】
本実施形態のリンク種類判定部３７３は、リンク情報の種類を判定する。表示順付与部３７４は、リンク情報に対して端末装置２００での表示順を付与する。並べ替え部３７５は、付与された表示順にしたがって、通知データベース３６０におけるリンク情報の並べ替えを行う。
【００８６】
本実施形態の通知格納部３７６は、端末装置２００から受信したメッセージに通知ＩＤを付与し、通知データベース３６０に格納する。具体的には通知格納部３７６は、受信したメッセージから通知データベース３６０の有する各項目の情報を取得し、項目毎に情報を対応付けて通知データベース３６０に格納する。また本実施形態の通知格納部３７６は、並び替え部３７５による並べ替え後の順に沿ってリンク情報を通知データベース３６０に格納する。
【００８７】
次に図１１を参照して本実施形態の端末装置２００の動作について説明する。図１１は、端末装置の動作を説明するフローチャートである。図１１は、点検作業の開始から終了までの動作の概略を示している。
【００８８】
本実施形態の端末装置２００は、点検作業が開始されると、経路情報取得部２２３により経路定義データベース３３０から点検経路の一覧を取得し、表示制御部２２２により点検経路の一覧を表示操作装置２１へ表示させる（ステップＳ１１１）。続いて端末装置２００は、入力受付部２２１により点検経路の選択を受け付ける（ステップＳ１１２）。
【００８９】
次に端末装置２００は、選択さたれ点検経路により点検対象の場所と、点検順とを表示させる（ステップＳ１１３）。
【００９０】
以下にステップＳ１１３について説明する。本実施形態の端末装置２００は、点検経路が選択されると、経路情報取得部２２３により、経路定義データベース３３０から選択された経路の経路情報を取得する。続いてピン情報取得部２２４は、ピン定義データベース３１０を参照し、経路情報に含まれるピンＩＤと対応するピン情報を取得する。次にマップ情報取得部２２５は、マップ定義データベース３５０から、ピン情報に含まれるマップＩＤと対応するマップ情報を取得する。
【００９１】
本実施形態のステップＳ１１３では、例えば経路情報に含まれるピンＩＤのうち、先頭にあるピンＩＤと対応するピン情報に含まれるマップＩＤを取得し、このマップＩＤと対応するマップ情報に基づき、マップを表示させても良い。このようにマップを表示させることで、端末装置２００は、点検経路において最初の点検箇所となる点検ピンが含まれるマップを表示させることができる。
【００９２】
また本実施形態の端末装置２００は、取得した経路情報に含まれるピンＩＤの並び順を点検ピンの点検順として表示させても良い。
【００９３】
端末装置２００は、ステップＳ１１３に続き、点検作業者による点検の実施を支援する（ステップＳ１１４）。
【００９４】
具体的には端末装置２００は、点検ピン毎の入力項目に対応した入力欄を有する入力画面の表示させ、入力欄に対する入力を受け付ける。端末装置２００は、受け付けた値を点検結果の値として保持する。
【００９５】
また本実施形態の端末装置２００は、入力画面の切り替えの指示に基づき、次の点検ピンに対応する入力画面又は１つ前の点検ピンに対応する入力画面を表示させる。さらに本実施形態の端末装置２００は、例えば点検経路に含まれない点検箇所に点検ピンが設定されたとき、この点検ピンを点検経路に挿入する。
【００９６】
本実施形態では、上記機能を有することで、例えば予め設定された点検順による点検作業の継続に不都合が発生した場合でも、点検順を変更して点検作業を継続することができる。本実施形態における入力画面の表示の処理と、点検ピンの挿入の処理の詳細は後述する。
【００９７】
続いて端末装置２００は、点検作業の完了指示を受け付けたか否かを判定する（ステップＳ１１５）。ステップＳ１１５において完了指示を受け付けていない場合、端末装置２００かステップＳ１１４へ戻る。ステップＳ１１５において完了指示を受け付けた場合、端末装置２００は、点検結果をサーバ３００へ送信する（ステップＳ１１６）。
【００９８】
本実施形態のサーバ３００は、点検結果を受信すると、点検結果格納部３７２により経路記録データベース３４０を更新し、ピン記録データベース３２０に点検結果を格納する（ステップＳ１１７）。
【００９９】
本実施形態の端末装置２００は、点検作業の完了通知を受け付けた後は、入力画面の切り替え指示を受けた場合でも、入力画面の切り替えを行わない。また本実施形態の端末装置２００は、完了通知を受け付けた後は、点検結果の入力を受け付けない。
【０１００】
本実施形態では、以上のように点検作業の完了通知後は点検結果の入力を禁止することで、点検結果が改ざんされること等を防止できる。
【０１０１】
また本実施形態の端末装置２００は、完了通知を受け付ける前は、点検結果のサーバ３００への送信を禁止しても良い。
【０１０２】
次に、本実施形態の設備点検作業支援システム１００における点検結果の通知の処理について説明する。本実施形態の設備点検作業支援システム１００では、点検結果を他の端末装置２００へ通知することで、点検結果を第三者と共有することができる。
【０１０３】
図１２は、点検結果を共有する処理を説明するシーケンス図である。
【０１０４】
本実施形態の設備点検作業支援システム１００において、送信者に使用される端末装置２００Ａは、入力受付部２２１により、点検結果が共有されることになるピン又は点検経路の選択を受け付ける（ステップＳ１２０１）。続いて端末装置２００Ａは、入力受付部２２１により、リンク情報を送信する宛先の選択を受け付ける（ステップＳ１２０２）。
【０１０５】
次に端末装置２００Ａは、メッセージ作成部２３１により、選択されたピン又は点検経路を特定するリンク情報を含むメッセージを作成し、メッセージ送信部２３２によりメッセージをサーバ３００へ送信する（ステップＳ１２０３）。このときメッセージ作成部２３１は、リンク情報を選択された順に並べたメッセージを作成する。また本実施形態のリンク情報とは、例えば選択された点検ピンのピンＩＤや点検経路の経路ＩＤである。
【０１０６】
サーバ３００は、端末装置２００Ａからリンク情報を含むメッセージを受信すると、リンク種類判定部３７３によりリンク情報の種類を判定する。そしてサーバ３００は、リンク情報の種類がピンであった場合にリンク情報の並べ替えを行った後（ステップＳ１２０４）、通知格納部３７６によりメッセージを通知データベース３６０へ格納する。
【０１０７】
具体的にはサーバ３００は、選択された順に並べられたリンク情報を、点検経路に沿った順に並び替える。ステップＳ１２０４の処理の詳細は後述する。
【０１０８】
設備点検作業支援システム１００において、サーバ３００は、端末装置２００Ｂのログインを受け付ける（ステップＳ１２０５）。端末装置２００Ｂは、サーバ３００の通知データベース３６０からリンク情報を含むメッセージを取得する（ステップＳ１２０６）。ここで端末装置２００Ｂが取得するメッセージに含まれるリンク情報は、並べ替えが行われた後のものである。
【０１０９】
端末装置２００Ｂは、入力受付部２２１によりメッセージに含まれるリンク情報の選択を受け付けると（ステップＳ１２０７）、リンク情報をサーバ３００へ送信し、リンク情報により特定される点検結果を取得する（ステップＳ１２０８）。
【０１１０】
サーバ３００は、端末装置２００Ｂからリンク情報を受信すると、リンク情報により特定される点検結果を端末装置２００Ｂへ送信する（ステップＳ１２０９）。端末装置２００Ｂは、取得した点検結果を表示させる（ステップＳ１２１０）。端末装置２００Ｂによる点検結果の表示の処理の詳細は後述する。
【０１１１】
以下に、図１３及び図１４を参照して、端末装置２００Ａによるメッセージの作成について説明する。以下では、例えば点検ピンの点検結果を共有する場合のメッセージの作成について説明する。
【０１１２】
図１３は、送信側の端末装置に表示されるピンの選択画面の一例を示す図である。図１３に示す画面１３１では、マップ上に点検経路に基づき階層ピンと点検ピンとが表示されている。また本実施形態の画面１３１では、メッセージに含める選択操作が行われた点検ピンが存在することを示す通知アイコン１３２が表示されている。
【０１１３】
画面１３１では、通知アイコン１３２まで点検ピンをドラッグすることで、この点検ピンが点検結果を共有する点検ピンとして選択される。
【０１１４】
図１３の例では、例えばピンＩＤがＰ０００１の点検ピン（以下、点検ピンＰ０００１）と、ピンＩＤがＰ０００５の点検ピン（以下、点検ピンＰ０００５）と、ピンＩＤがＰ０００４の点検ピン（以下、点検ピンＰ０００５）と、ピンＩＤがＰ０００２の点検ピン（以下、点検ピンＰ０００２）が、この順番に選択されたとする。
【０１１５】
図１４は、送信側の端末装置のメッセージが表示された画面の一例を示す図である。本実施形態のメッセージ画面１４１には、メッセージの送信先（宛先）１４２と、選択された点検ピンの名称１４３とが表示されている。点検ピンの名称は、図１３に示す画面において、選択操作が行われた順に表示される。
【０１１６】
メッセージ画面１４１では、例えば名称が設備Ａ点検である点検ピンＰ０００１、名称がヒヤリハットである点検ピンＰ０００５、名称が機器Ｄ点検である点検ピンＰ０００４、名称が設備Ｂ点検である点検ピンＰ０００２の順に点検ピンが選択されたことがわかる。
【０１１７】
本実施形態の端末装置２００Ａは、メッセージ送信部２３２により、選択された点検ピンのピンＩＤをリンク情報として選択された順にサーバ３００へ送信する。
【０１１８】
本実施形態のサーバ３００では、リンク情報が含まれるメッセージを受信すると、リンク情報を点検経路に沿った順に並べ替えて通知データベース３６０へ格納する。本実施形態では、リンク情報の並べ替えを行うことで、端末装置２００Ｂにリンク情報を表示させる際に、点検経路に沿った順にリンク情報を表示させることができる。したがって端末装置２００Ｂを利用する点検作業者は、点検経路に沿って点検結果を確認することができる。
【０１１９】
以下にサーバ３００によるリンク情報の並べ替えの処理について説明する。図１５は、サーバによるリンク情報の並べ替えの処理を説明するフローチャートである。
【０１２０】
本実施形態のサーバ３００は、端末装置２００Ａからメッセージを受信すると、リンク種類判定部３７３により、メッセージに含まれるリンク情報の種類が点検ピンを特定する情報であるか、又は点検経路を特定する情報であるかを判定する（ステップＳ１５０１）。より具体的にはリンク種類判定部３７３は、リンク情報が点検ピンのピンＩＤであるか、又は点検経路の経路ＩＤであるを判定する。
【０１２１】
ステップＳ１５０１においてリンク情報が点検経路の経路ＩＤであった場合は、通知格納部３７６は、通知ＩＤとリンク情報とを対応付けて通知データベース３６０へ格納する（ステップＳ１５０２）。
【０１２２】
ステップＳ１５０１においてリンク情報が点検ピンのピンＩＤであった場合は、表示順付与部３７４はメッセージに含まれるピンＩＤが全て同じ点検経路に含まれるか否かを判断する（ステップＳ１５０３）。ステップＳ１５０３において、全て同じ点検経路に含まれる場合、表示順付与部３７４は、メッセージに含まれるピンＩＤに対し、点検経路に登録されている順に表示順を付与する（ステップＳ１５０４）。そしてサーバ３００は、後述するステップＳ１５１１へ進む。
【０１２３】
ステップＳ１５０３において、ピンＩＤが全て同じ点検経路に含まれない場合、メッセージには、複数の点検経路から選択されたピンＩＤが含まれる。したがって本実施形態のサーバ３００は、表示順付与部３７４により、例えばメッセージに含まれるピンＩＤから任意のピンＩＤを取得し、このピンＩＤが含まれる点検経路の先頭の点検ピンのピンＩＤを表示順の付与対象に指定する（ステップＳ１５０５）。
【０１２４】
次に表示順付与部３７４は、表示順の付与対象に指定された点検ピンがリンク情報に含まれているか否かを判断する（ステップＳ１５０６）。
【０１２５】
ステップＳ１５０６においてメッセージ内のリンク情報に含まれる場合、表示順付与部３７４は、この点検ピンのピンＩＤと合致するリンク情報に表示順を付与する（ステップＳ１５０７）。ここで付与される表示順は、例えば一番先頭を示す１であっても良い。尚、表示順を付与した場合には、付与する表示順を１つインクリメントして記憶する。
【０１２６】
次に表示順付与部３７４は、メッセージに含まれるピンＩＤ（リンク情報）において、表示順が付与されていないピンＩＤがあるか否かを判断する（ステップＳ１５０８）。
【０１２７】
ステップＳ１５０８において該当するピンＩＤがある場合、表示順付与部３７４は、
ステップＳ１５０７で表示順の付与対象にしたピンＩＤと対応する点検ピンを含むマップ上で、この点検ピンと最も距離が近い点検ピンのピンＩＤを新たに表示順の付与対象に指定する（ステップＳ１５０９）。
【０１２８】
ステップＳ１５０９の処理について説明する。
【０１２９】
ステップＳ１５０７で表示順の付与対象に指定したピンＩＤと対応する点検ピン（以下、表示順の付与対象点検ピンと呼ぶ。）を含むマップには、表示順の付与対象点検ピンと同じ点検経路に含まれる点検ピンと階層ピンが含まれる可能性がある。また表示順の付与対象点検ピンを含むマップには、リンク情報として選択された、表示順の付与対象点検ピンと異なる点検経路に含まれる点検ピンが含まれる可能性がある。
【０１３０】
そこで本実施形態の表示順付与部３７４は、表示順の付与対象点検ピンを含むマップにおいて、表示順の付与対象点検ピンと、以下の３種類のピンとの位置関係を取得し、表示順の付与対象点検ピンと最も近いピンのピンＩＤを新たに表示順の付与対象に指定する。ピンの位置関係は、例えばピン定義データベース３１０に格納されているピンＩＤと対応付けられた座標情報により取得できる。
【０１３１】
３種類のピンのうち１種類目は、表示順の付与対象点検ピンと同じ点検経路に含まれ、表示順の付与対象点検ピンの点検順よりも後の順番かつ最も点検順が近い点検ピンである。２種類目は、表示順の付与対象点検ピンが含まれるマップ上にある階層ピンである。３種類目は、メッセージに含まれる点検ピンと対応する点検ピンのうち、表示順の付与対象点検ピンとは異なる点検経路に含まれ、さらに表示順の付与対象点検ピンと同じマップに含まれる点検ピンである。
【０１３２】
本実施形態では、この３種類のなかで最も距離の近いピンを、最後に表示順が付与されたピンＩＤの次に並べることで、点検ルート順に近い状態でリンク情報を表示できる。尚、この３種類のなかで最も距離の近いピンを最後に表示順が付与されたピンＩＤの前に並べることも考えられる。
【０１３３】
以上のように本実施形態では、送信者がマップ上の点検ピンや階層ピンを選択した順にかかわらず、受信者側の端末装置でメッセージ画面を表示する際には、点検ルートの順に近い状態で、送信者により選択されたピンを並べた状態で表示させることができる。
【０１３４】
具体的には例えば、点検経路に含まれる点検ピンＰ０００１〜Ｐ０００５がピン番号の昇順の点検ルートが設定されているとして、これらの点検ピンのうち、送信者側の端末装置で、点検ピンＰ０００１、Ｐ０００５、Ｐ０００４、Ｐ０００２の順に選択操作を受け付けたとする。この場合でも、受信者側の端末装置へ出力するメッセージでは各点検ピンに対するリンク情報を、ピンＰ０００１、Ｐ０００２、Ｐ０００４、Ｐ０００５というように点検ルートに従った順に並べた状態で、表示させることができる。
【０１３５】
また、本実施形態では、点検ルートには含まれていない点検ピンについて、点検ルートに含まれる点検ピンのうち最も距離が近い点検ピンの前後にリンク情報を並べた状態で、表示させることができる。
【０１３６】
よって本実施形態では、メッセージを受信した側が、点検ルートに従った点検作業と対応づけて理解しやすい順に、点検ピンに対するリンク情報を表示させることができる。
【０１３７】
次に、本実施形態の端末装置２００Ｂにおける点検結果の表示の処理を説明する。図１６は、端末装置における点検結果の表示の処理を説明するフローチャートである。
【０１３８】
本実施形態の端末装置２００Ｂは、入力受付部２２１により、表示されたメッセージにおいてリンク情報の選択を受け付けると、選択されたリンク情報をサーバ３００から取得する（ステップＳ１６０１）。
【０１３９】
次に端末装置２００Ｂは、リンク種類判定部２４２により、取得したリンク情報の種類が点検経路の経路ＩＤか、又は点検ピンのピンＩＤかを判定する（ステップＳ１６０２）。ステップＳ１６０２において、リンク情報の種類が経路ＩＤであった場合、点検結果取得部２４３は、サーバ３００から経路ＩＤと対応する点検経路の点検結果を取得し、点検結果表示部２４４により取得した点検結果の画面を表示させる（ステップＳ１６０３）。
【０１４０】
ステップＳ１６０２においてリンク情報の種類がピンＩＤであった場合、端末装置２００Ｂは、入力受付部２２１により、取得されたピンＩＤ（リンク情報）において、点検結果を表示させる表示対象となるピンＩＤの選択を受け付ける（ステップＳ１６０４）。
【０１４１】
尚、本実施形態では、取得されたピンＩＤは、サーバ３００における並び替えが行われた後の並び順で取得される。
【０１４２】
続いて端末装置２００Ｂは、点検結果取得部２４３により、選択されたピンＩＤが示す点検結果をサーバ３００から取得し、点検結果表示部２４４により取得した点検結果の画面を表示させる（ステップＳ１６０５）。
【０１４３】
続いて端末装置２００Ｂは、入力受付部２２１により、点検結果が表示された画面において、リンク情報の切り替えの操作を受け付けたか否かを判断する（ステップＳ１６０６）。リンク情報の切り替えの操作とは、具体的には例えば、点検結果を表示させるピンＩＤの切り替えの操作である。
【０１４４】
ステップＳ１６０６において該当する操作を受け付けた場合、端末装置２００Ｂは、メッセージに含まれるピンＩＤのうち、並び順が表示対象に選択されたピンＩＤの１つ前は又は次のピンＩＤを表示対象に指定し（ステップＳ１６０７）、ステップＳ１６０５へ戻る。
【０１４５】
ステップＳ１６０６において該当する操作を受け付けない場合、端末装置２００Ｂは、表示させた点検結果の画面を閉じて、処理を終了する。
【０１４６】
以上のように本実施形態では、リンク情報の切り替えの操作に応じて、メッセージに含まれる点検ピンの中で、点検経路にしたがった順に点検結果を表示した画面を切り替えることができる。具体的には例えば、点検経路に含まれる点検ピンＰ０００１〜Ｐ０００５のうち、点検ピンＰ０００１、Ｐ０００３、Ｐ０００５に対応するピンＩＤがメッセージに含まれており、点検ピンＰ０００１が表示対象に選択された場合を考える。この場合に端末装置２００Ｂは、点検ピンＰ０００１の点検結果の画面を表示し、この画面において次画面への切り替え指示を受けると、点検ピンＰ０００３の点検結果の画面を表示する。
【０１４７】
よって本実施形態では、メッセージを受信した側が、点検作業と対応づけて、理解しやすい順に点検画面の画面を切り替えることができる。
【０１４８】
以下に図１７乃至図１９を参照し、点検結果の表示の処理についてさらに説明する。図１７は、メッセージを受信したことが表示された画面の一例を示す図である。
【０１４９】
図１７に示す画面１７１は、例えば端末装置２００Ｂが設備点検作業支援システム１００にログインした際に、端末装置２００Ａから受信したメッセージの有無を表示した画面である。
【０１５０】
本実施形態の画面１７１は、通知欄１７２を有し、通知欄１７２にはサーバ３００の通知データベース３６０に格納されたメッセージの一覧が表示される。本実施形態の端末装置２００Ｂは、例えば通知欄１７２に通知されたメッセージのタイトルを選択することで、図１６に示す点検結果の表示の処理を開始しても良い。
【０１５１】
具体的には例えば、通知欄１７２に表示された、タイトルが「設備（Ａ）」のメッセージが選択された場合、端末装置２００Ｂは、このメッセージに含まれるリンク情報をサーバ３００の通知データベース３６０から取得し、点検結果の表示の処理を開始する。
【０１５２】
図１８は、リンク情報の種類が点検経路であった場合の点検結果の表示の一例を示す図である。
【０１５３】
図１８に示す画面１８１では、例えば図１７に示す画面１７１において、点検経路ロが選択された場合の点検結果の表示画面である。画面１８１では、点検経路ロのさらなる詳細な点検記録を表示させるためのボタン１８２を有する。また本実施形態の画面１８１は、画面１８１を点検経路ロの点検作業の開始画面に遷移させる点検開始ボタン１８３を有する。
【０１５４】
本実施形態の端末装置２００Ｂは、点検開始ボタン１８３が操作されると、点検経路ロに含まれる点検ピンのうち、点検順が最初の点検ピンと対応する入力画面を表示させても良い。
【０１５５】
本実施形態では、画面１８１に点検開始ボタン１８３を表示させることで、迅速に引見結果を共有した点検経路の点検を再開することができる。
【０１５６】
図１９は、リンク情報の種類がピンであった場合の点検結果の表示の一例を示す図である。
【０１５７】
図１９に示す画面１９１では、端末装置２００Ｂにおいて、メッセージら含まれるピンＩＤのうち、表示対象に選択されたピンＩＤと対応する点検ピンの点検結果が表示されている。
【０１５８】
また画面１９１には、点検結果の画面を切り替えるための切り替えボタン１９２、１９３が表示されている。本実施形態の端末装置２００Ｂでは、例えば切り替えボタン１９２が操作されると、メッセージにおいて、並び順が表示対象のピンＩＤの一つ前のピンＩＤと対応する点検ピンの点検結果の画面へ表示を切り替えることができる。また本実施形態の端野装置２００Ｂでは、例えば切り替えボタン１９３が操作されると、メッセージにおいて、並び順が表示対象のピンＩＤの次のピンＩＤと対応する点検ピンの点検結果の画面へ表示を切り替えることができる。
【０１５９】
以上のように本実施形態によれば、情報を共有すべき設備や点検経路を指定するだけで、指定された設備や点検経路の最新の点検結果を示す情報にアクセス可能なリンク情報を含むメッセージが生成される。従って、本実施形態によれば、複数人で交代して点検作業を行う際の引き継ぎ等を含む点検作業の連携を支援することができる。
【０１６０】
本発明は、具体的に開示された実施例に限定されるものではなく、特許請求の範囲から逸脱することなく、種々の変形や変更が可能である。
【符号の説明】
【０１６１】
１００  設備点検作業支援システム
２００、２００Ａ、２００Ｂ  端末装置
２１０  設備点検作業支援プログラム
２２１  入力受付部
２２２  表示制御部
２３１  メッセージ作成部
２３２  メッセージ送信部
２４１  メッセージ受信部
２４２、３７３  リンク種別判定部
２４３  点検結果取得部
２４２  点検結果表示部
３００  サーバ
３１０  ピン定義データベース
３２０  ピン記録データベース
３３０  経路定義データベース
３４０  経路記録データベース
３５０  マップ定義データベース
３６０  通知データベース
３７４  表示順付与部
３７５  並べ替え部
３７６  通知格納部
【図１】
2015087452.tif 000003
【図２】
2015087452.tif 000004
【図３】
2015087452.tif 000005
【図４】
2015087452.tif 000006
【図５】
2015087452.tif 000007
【図６】
2015087452.tif 000008
【図７】
2015087452.tif 000009
【図８】
2015087452.tif 000010
【図９】
2015087452.tif 000011
【図１０】
2015087452.tif 000012
【図１１】
2015087452.tif 000013
【図１２】
2015087452.tif 000014
【図１３】
2015087452.tif 000015
【図１４】
2015087452.tif 000016
【図１５】
2015087452.tif 000017
【図１６】
2015087452.tif 000018
【図１７】
2015087452.tif 000019
【図１８】
2015087452.tif 000020
【図１９】
2015087452.tif 000021
【国際調査報告】
2015087452.tif 000022
2015087452.tif 000023
2015087452.tif 000024
2015087452.tif 000025